(57)【要約】【課題】施工性がよく、埋込孔に埋め込み設置できる照明装置を提供する。【解決手段】照明装置10は、本体16、光源ユニット17および支持部18を備える。本体16は、被設置部11の埋込孔12に埋め込み設置される。光源ユニット17は、本体16の上部側に配置される。支持部18は、光源ユニット17を本体16に対して移動可能に支持する。【選択図】図１
2020119625.tif 000002
【特許請求の範囲】
【請求項１】
被設置部の埋込孔に埋め込み設置される本体と；
前記本体の上部側に配置される光源ユニットと；
前記光源ユニットを前記本体に対して移動可能に支持する支持部と；
を具備することを特徴とする照明装置。
【請求項２】
前記光源ユニットは、前記本体の中心軸から一側にずれて配置されるとともに前記本体の一側から突出されている
ことを特徴とする請求項１記載の照明装置。
【請求項３】
前記支持部は、前記本体の中心軸からずれた位置に、前記光源ユニットを前記本体の上方に回動可能に支持する支点を有する
ことを特徴とする請求項１または２記載の照明装置。
【発明の詳細な説明】
【技術分野】
【０００１】
本発明の実施形態は、被設置部の埋込孔に埋め込み設置される照明装置に関する。
【背景技術】
【０００２】
従来、被設置部の埋込孔に埋め込み設置される照明装置は、本体およびこの本体の上部側に一体的に設けられる光源ユニットを備えており、施工時には、埋込孔に光源ユニットおよび本体を挿入し、本体を被設置部に取り付けている。
【０００３】
このような照明装置では、光源ユニットが本体の中心軸から一側にずれた位置に配置することが光学的または構造的に好ましい場合があるが、この場合、埋込孔に挿入する際に埋込孔の縁に引っ掛かりやすく、被設置部に取り付けることができなかったり施工しにくいおそれがある。
【先行技術文献】
【特許文献】
【０００４】
【特許文献１】特開２０１６−４６３６号公報
【発明の概要】
【発明が解決しようとする課題】
【０００５】
本発明は、施工性がよく、埋込孔に埋め込み設置できる照明装置を提供することである。
【課題を解決するための手段】
【０００６】
実施形態の照明装置は、本体、光源ユニットおよび支持部を備える。本体は、被設置部の埋込孔に埋め込み設置される。光源ユニットは、本体の上部側に配置される。支持部は、光源ユニットを本体に対して移動可能に支持する。
【発明の効果】
【０００７】
実施形態の照明装置によれば、施工性がよく、埋込孔に埋め込み設置できる。
【図面の簡単な説明】
【０００８】
【図１】第１の実施形態を示す照明装置の断面図である。
【図２】同上照明装置の分解状態の斜視図である。
【図３】同上照明装置の組立状態の斜視図である。
【図４】同上照明装置の施工時の断面図である。
【図５】同上図４に続く照明装置の施工時の断面図である。
【図６】同上図５に続く照明装置の施工時の断面図である。
【図７】第２の実施形態を示す照明装置の模式図である。
【図８】第３の実施形態を示す照明装置の模式図である。
【発明を実施するための形態】
【０００９】
以下、第１の実施形態を、図１ないし図６を参照して説明する。
【００１０】
図１に示すように、照明装置10は、被設置部11に設けられた埋込孔12に埋め込み設置される。本実施形態は、被設置部11は、例えば２０°の傾斜角度を有する傾斜天井13である。この傾斜天井13に設置される照明装置10の光軸ａは直下方向である。
【００１１】
図１ないし図３に示すように、照明装置10は、本体16、この本体16の上部側に配置される光源ユニット17、この光源ユニット17を本体16に対して移動可能に支持する支持部18、本体16の下部側に配置される化粧枠ユニット19、および光源ユニット17にケーブル20によって電気的に接続される図示しない電源ユニットを備える。そして、光源ユニット17は、本体16の中心軸ｚから一側にずれて配置されるとともに本体16の一側から突出されて配置される。以下、光源ユニット17が本体16の中心軸ｚからずれている側を照明装置10の一側、この一側に対して反対側を照明装置10の他側という。
【００１２】
そして、本体16は、下面側が開口され、中心軸ｚを中心とする円筒状に形成されている。本体16は、中心軸ｚを中心とした筒部22、この筒部22の上面に設けられる上面部23、および筒部22の下端周縁から外径側に突出するフランジ部24を備えている。
【００１３】
筒部22の周方向に対象となる複数箇所（例えば２箇所）には、中心軸ｚと平行にスリット状のガイド溝25が設けられている。これらガイド溝25には、傾斜天井13の上面に係合して照明装置10を傾斜天井13に取り付ける取付金具26が上下方向にスライド可能に取り付けられている。さらに、筒部22の周方向に対象となる複数箇所（例えば２箇所）でかつガイド溝25とは異なる複数箇所（例えば２箇所）には、化粧枠ユニット19を取り付けるための取付開口27が設けられている。
【００１４】
上面部23は、一側上面部28および他側上面部29を備えている。一側上面部28は、中心軸ｚに対して傾斜天井13の傾斜角度と同じ角度（２０°）に傾斜され、傾斜天井13への照明装置10の設置状態で水平に配置される。他側上面部29は、中心軸ｚに対して直交する面に形成されている。一側上面部28には、中央域に開口部30が形成され、開口部30の両側に挿通孔31が設けられている。他側上面部29には、支持部18が配置されている。
【００１５】
また、光源ユニット17は、放熱体34、発光モジュール35、取付ベース36、反射板37およびレンズ38などを備えている。光源ユニット17は、発光モジュール35から光を照射する光軸ａを有する。
【００１６】
放熱体34は、例えばアルミダイカストなどの金属製で一体に形成されている。放熱体34は、本体部40、この本体部40から上方へ向けて突設された複数のフィン41、および本体部40の他側部に設けられケーブル20の一端側が配線される配線部42を備えている。本体部40の内側には下方に向けて開口する凹部43が形成され、この凹部43に発光モジュール35、取付ベース36、反射板37およびレンズ38などが配置されている。フィン41は、本体部40の上面から、上方に向けて光軸ａと平行に突設されている。
【００１７】
発光モジュール35は、基板44、およびこの基板44に図示しないＬＥＤや有機ＥＬ等の複数の半導体発光素子が実装されて形成された発光部45を有している。発光モジュール35は、例えばＣＯＢ（Chip on board）モジュールである。発光モジュール35は、図示しない一対のソケットにより、放熱体34の本体部40の下面に密着するように固定されているとともに電気的に接続されている。発光モジュール35は、ソケットを通じて、放熱体34の配線部42に配線されるケーブル20の一端が電気的に接続されている。
【００１８】
取付ベース36は、絶縁性を有する例えば樹脂製であり、放熱体34の本体部40の下面にねじ46によって固定されている。
【００１９】
反射板37は、上下方向に開口するとともに下方に向けて拡開する円筒状に形成され、上端側が取付ベース36に取り付けられている。反射板37は、発光部45からの光を光軸ａの方向へ向けて反射させる。
【００２０】
レンズ38は、反射板37の下端に取り付けられている。レンズ38は、発光部45からの光を光軸ａを中心として所定の配光に制御する。
【００２１】
そして、反射板37およびレンズ38の一部は、放熱体34の下面から突出し、本体16の開口部30に挿通可能としている。
【００２２】
また、支持部18は、本体16の中心軸ｚから他側にずれた位置に設けられる支点49を中心として、光源ユニット17を本体16の上方に回動可能に支持する。支持部18は、光源ユニット17を支持する可動部材50、本体16の上面部23に取り付けられた取付部材51、可動部材50を取付部材51に回動可能に支持する支点49であるねじ52、可動部材50を本体16に固定する固定ねじ53などを備えている。
【００２３】
可動部材50は、金属板によって形成され、上面に放熱体34が配置され、放熱体34の本体部40を挿通する複数のねじ54が螺着され、放熱体34が固定されている。ねじ54の先端側は、可動部材50を貫通して突出しているが、光源ユニット17を本体16に組み合わせた際に本体16の挿通孔31に挿通される。可動部材50には、反射板37およびレンズ38の一部が突出する挿通開口55が設けられている。可動部材50の一側には当接部56が下方に折曲形成され、他側には延長部57が延設されている。延長部57の両側には取付片58が立ち上げられている。当接部56は、放熱体34の下面から突出する反射板37およびレンズ38よりも下方に突出されている。
【００２４】
取付部材51は、固定部59、およびこの固定部59の両側から立ち上げられた取付部60を有する断面略コ字形に形成されている。固定部59が本体16の他側上面部29に配置され、この固定部59に他側上面部29を下方から挿通する複数のねじ61が螺着されることにより、固定部59が本体16の他側上面部29に固定されている。両側の取付部60の内側に可動部材50の延長部57が配置され、両側の取付部60を外側から挿通するねじ52が延長部57の取付片58に螺着されることにより、可動部材50がねじ52を中心として回動可能に支持されている。
【００２５】
固定ねじ53は、本体16の他側上面部29の下方から挿通されて固定部59に螺着され、固定部59を貫通して可動部材50の延長部57の下面に対向されている。支点49および固定ねじ53は、中心軸ｚを基準として本体16の他側に配置されているが、固定ねじ53は支点49よりも他側に配置されている。
【００２６】
そして、支持部18は、本体16の中心軸ｚから他側にずれた位置に設けられる支点49を中心として、光源ユニット17を本体16の上方に回動可能に支持する。すなわち、支持部18は、光源ユニット17を、図１に示すように、本体16と組み合わせて使用する使用位置または光照射位置、あるいは本体16に搭載された搭載位置と、図４や図５に示すように、施工時の施工位置、あるいは本体16から上方に離反した離反位置との間で移動可能に支持する。
【００２７】
また、化粧枠ユニット19は、化粧枠64、この化粧枠64に取り付けられた反射鏡65、および化粧枠64にばね取付具66によって取り付けられた複数の取付ばね67などを備えている。
【００２８】
化粧枠64は、環状に形成され、本体16のフランジ部24を覆う。
【００２９】
反射鏡65は、光軸ａを中心とする円筒状で下方に拡開するように形成されているとともに、下端が光軸ａに対して傾斜天井13の傾斜角度と同じ角度（２０°）に傾斜され、この下端が化粧枠64に取り付けられている。
【００３０】
取付ばね67は、中央部がコイル状に巻回され、両端部がコイル部分から延設されている。取付ばね67の両端部が互いに開く方向に向けて弾性を有している。
そして、取付ばね67の両端部が本体16の取付開口27に挿通され、
また、電源ユニットは、ケーブル20によって光源ユニット17の発光モジュール35に電気的に接続されている。電源ユニットは、例えば商用交流電源を所定の点灯電源に変換して発光モジュール35に供給し、発光素子を点灯させる。
【００３１】
次に、照明装置10の施工について説明する。
【００３２】
傾斜天井13の天井裏に配線されている電源線を埋込孔12に下方に引き出して電源ユニットに接続し、電源ユニットを埋込孔12に挿入し、傾斜天井13の上面に載置する。例えば、電源ユニットは、傾斜天井13の下降傾斜側に載置する。
【００３３】
ここで、仮に、図１に示すように、光源ユニット17が、本体16の中心軸ｚから一側にずれて配置されるとともに本体16の一側から突出されている状態のままでは、埋込孔12に挿入して取り付けるのが困難である。
【００３４】
そこで、図４に示すように、化粧枠ユニット19が取り外されている本体16の内側に作業者の手を入れ、本体16の開口部30から光源ユニット17を押し上げる。これにより、光源ユニット17が支点49を中心として上方に回動し、本体16の上面部23から上方に離反する。なお、このとき、固定ねじ53は緩められた状態にあり、光源ユニット17の回動が可能となっている。
【００３５】
そして、まず、引き出されているケーブル20を埋込孔12に戻しながら、光源ユニット17を埋込孔12に挿入する。このとき、光源ユニット17の一側を傾斜天井13の上昇傾斜側に向けて埋込孔12に挿入する。
【００３６】
可動部材50の当接部56が傾斜天井13の上面側よりも上方に位置するまで挿入した後、図５に示すように、可動部材50の当接部56が傾斜天井13の上昇傾斜側に移動するように、光源ユニット17を一側に向けて移動させ、本体16の中心軸ｚを埋込孔12の中心軸に合わせる。光源ユニット17の押し上げを解除すると、当接部56が傾斜天井13の上面に当接し、レンズ38などが傾斜天井13に接触しないように光源ユニット17の一側を支える。
【００３７】
図６に示すように、本体16を埋込孔12に軸方向から挿入し、本体16のフランジ部24を傾斜天井13の下面に押し当てる。このとき、反射板37およびレンズ38が開口部30を通じて本体16内に進入するとともに、本体16の上面部23（一側上面部28）に光源ユニット17が載り、本体16とともに光源ユニット17を押し上げる。
【００３８】
本体16の内側に作業者の手を入れ、各取付金具26を本体16の下方側にスライドさせる。各取付金具26は、本体16の下方側にスライドすることにより外側方に展開して傾斜天井13の上面に当接し、フランジ部24との間に傾斜天井13を挟み込んで固定する。
【００３９】
本体16の内側から固定ねじ53を締め込み、固定ねじ53の先端を延長部57に押し当てて、光源ユニット17が本体16に対して回動しないように固定する。
【００４０】
最後に、化粧枠ユニット19の各取付ばね67の両端部を弾性に抗してすぼめながら本体16の内側から各取付開口27に引っ掛け、化粧枠64を本体16に向けて上方に移動させることにより、各取付ばね67の両端部が拡開しようとする弾性によって化粧枠64を本体16に対して引き上げ、化粧枠64が傾斜天井13の下面に当接する。これにより、化粧枠64が本体16のフランジ部24を覆い、反射鏡65が光源ユニット17の光軸ａ上に配置される。
【００４１】
このようにして傾斜天井13に設置された照明装置10は、本体16の中心軸ｚが傾斜天井13に直交して直下方向に対して傾斜しているが、光源ユニット17の光軸ａが直下方向に向いている。
【００４２】
そして、電源ユニットから発光モジュール35に点灯電源を供給することにより、発光モジュール35が点灯し、光がレンズ38を透過して反射鏡65の下方から直下方向に出射される。
【００４３】
また、発光モジュール35の点灯時に発生する熱は放熱体34に伝達され、放熱体34の複数のフィン41から空気中に効率的に放熱される。
【００４４】
このように構成された本実施形態の照明装置10は、支持部18により、光源ユニット17を本体16に対して移動可能に支持するため、光源ユニット17が本体16の中心軸ｚから一側にずれて配置されるとともに本体16の一側から突出されて配置されていても、施工性がよく、埋込孔12に確実に埋め込み設置できる。
【００４５】
支持部18は、本体16の中心軸ｚからずれた位置に設けられる支点49を中心として、光源ユニット17を本体16の上方に回動可能に支持するため、光源ユニット17を本体16から離し、その離した状態の光源ユニット17および本体16をそれぞれ埋込孔12に挿入することが可能となり、施工性がよく、埋込孔12に確実に埋め込み設置できる。
【００４６】
光源ユニット17の支点49に対して反対側に下方へ突出する当接部56が設けられているため、当接部56を傾斜天井13の上面側に当接することにより、光源ユニット17のレンズ38などが傾斜天井13に接触するのを防止し、保護できる。
【００４７】
可動部材50の支点49よりも他側に固定ねじ53を当てることにより、光源ユニット17が本体16に対して回動しないように固定することができる。
【００４８】
光源ユニット17のケーブル20が配線される配線部42は、光源ユニット17の回動量が大きい一側とは反対の他側である支点49側つまり回動量の少ない側に設けられるため、施工時にケーブル20が光源ユニット17の回動に影響するのを少なくすることができる。
【００４９】
次に、図７に第２の実施形態を示す。
【００５０】
被設置部11として水平な天井14に取り付ける照明装置10を示す。この照明装置10は、例えば壁面を照明するもので、光軸ａが天井14から壁面に向けて傾斜するように、光源ユニット17が本体16に対して斜めに配置されている。すなわち、光源ユニット17は、本体16の中心軸ｚから一側にずれて配置されるとともに本体16の一側から突出されて配置される。
【００５１】
この照明装置10の場合にも、本体16の中心軸ｚから他側にずれた位置に支点49を設け、この支点49を中心に光源ユニット17を回動可能とすることにより、施工性がよく、埋込孔12に確実に埋め込み設置できる。
【００５２】
次に、図８に第３の実施形態を示す。
【００５３】
被設置部11として水平な天井14に取り付ける照明装置10を示す。この照明装置10は、本体16内に照度センサやカメラなどの機器70を配置するもので、光源ユニット17が本体16の中心軸ｚから一側にずれて配置されるとともに本体16の一側から突出されて配置される。
【００５４】
この照明装置10の場合にも、本体16の中心軸ｚから他側にずれた位置に支点49を設け、この支点49を中心に光源ユニット17を回動可能とすることにより、施工性がよく、埋込孔12に確実に埋め込み設置できる。
【００５５】
なお、上述した各実施形態において、支持部18は、光源ユニット17を本体16の上面部23に沿ってスライド可能に支持してもよい。この場合、光源ユニット17を本体16の中心軸ｚ側にスライドさせることにより、本体16の一側から光源ユニット17が突出しないようにあるいは突出量を少なくすることが可能となり、施工性がよく、埋込孔12に確実に埋め込み設置できる。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
10    照明装置
11    被設置部
12    埋込孔
16    本体
17    光源ユニット
18    支持部
49    支点
ｚ    中心軸
【図１】
2020119625.tif 000003
【図２】
2020119625.tif 000004
【図３】
2020119625.tif 000005
【図４】
2020119625.tif 000006
【図５】
2020119625.tif 000007
【図６】
2020119625.tif 000008
【図７】
2020119625.tif 000009
【図８】
2020119625.tif 000010